(57)【要約】【課題】使用する清掃シートの全ての面を使用することができ、しかも、清掃用具の厚み分程度の狭い隙間も簡単に清掃することが可能であり、さらには、清掃シートをスリット挟み込む場合にも指などを痛めることがない優れた清掃用具を提供する。【解決手段】清掃シートＳを挟み込むスリットが形成された本体１と、この本体１が回動自在に支承された略コ字状に形成された支持アーム２と、この支持アーム２の端部が自在継手３を介して連結されたハンドル４と、が備えられた構成とする。【選択図】図１
0003152632.tif 000002
【実用新案登録請求の範囲】
【請求項１】
清掃シートを挟み込むスリットが形成された本体と、前記本体が回動自在に支承された略コ字状に形成された支持アームと、前記支持アームの端部が自在継手を介して連結されたハンドルと、が備えられていることを特徴とする清掃用具。
【請求項２】
前記本体は、前記支持アームを回動自在に支承する枠体部と、前記枠体部をカバーするカバー部とから構成され、
前記カバー部の表面には、亀の甲状の小突起が複数形成され、前記小突起と小突起の間の凹部に沿ってスリットが形成されていることを特徴とする請求項１に記載の清掃用具。
【請求項３】
前記本体は、前記支持アームを回動自在に支承する枠体部と、前記枠体部をカバーするカバー部とから構成され、
前記枠体部は、下面開口した箱状の上枠体と、前記上枠体に嵌合する上面開口の下枠体と、が備えられ、
前記カバー部は、前記上枠体をカバーする上カバー体と、前記下枠体をカバーする下カバー体と、が備えられ、
前記上カバー体の表面には、亀の甲状の小突起が複数形成され、前記小突起と小突起の間の凹部に沿ってスリットが形成されていることを特徴とする請求項１または請求項２に記載の清掃用具。
【請求項４】
前記カバー部は、前記上枠体をカバーする上カバー体と、前記下枠体をカバーする下カバー体と、が備えられ、
前記上カバー体の表面には、亀の甲状の小突起が複数形成されると共にスリット体が挿入される挿入孔が形成され、
前記スリット体は、前記上カバー体の表面に形成された亀の甲状の小突起と同一の小突起が形成され、前記小突起と小突起の間の凹部に沿ってスリットが形成されていることを特徴とする請求項２または請求項３に記載の清掃用具。
【請求項５】
前記自在継手は、下方に前記支持アームの端部を挿入固定する固定部が形成され、上部にはハンドル4の下端部に形成され支承部の軸孔に回動可能に軸支された突起軸を備えたことを特徴とする請求項１に記載の清掃用具。
【考案の詳細な説明】
【技術分野】
【０００１】
本考案は、建物内部の床や壁などを清掃する清掃用具に関する。
【背景技術】
【０００２】
従来、建物内部の床や壁、或いは家具や電気製品の周囲などを清掃する場合には、清掃シートを本体の上面に形成されたジグザグ状のスリットに装着し、裏面である清掃面を使用して、塵や埃を除去するものである。このような清掃用具として特許文献1に示すような清掃用具が知られている。
【０００３】
この清掃用具は、清掃シートを装着可能とする清掃シート装着具が設置されてなる清掃用具において、上記清掃シート装着具には、その表面に開き用スリット及び保持用スリットが形成され、これらのうち開き用スリットは放射状に延在して設けられ、また、上記保持用スリットは、上記開き用スリットに連続するとともに、更に鋸歯形状に形成されたことを特徴とするものである。
【先行技術文献】
【特許文献】
【０００４】
【特許文献１】実用新案登録第２５０７３００号公報
【考案の概要】
【考案が解決しようとする課題】
【０００５】
しかしながら、特許文献１に示す清掃用具にあっては、使用する清掃シートは、清掃面となる下面のみ使用するものなので、それは清掃シート全体の半分程度しか使用しないこととなり、大変不経済なことであった。また、この清掃用具は床のような広い平面を清掃する場合は好都合であるが、家具と家具の狭い隙間（清掃用具の厚み分程度）を清掃する場合は非常にやりにくいという問題があった。さらに、清掃シートを挟み込むスリットが鋸歯形状に形成されているので、保持力に優れているが、材質が硬い場合には清掃シートを挟み込む時に指などを痛めることがあった。
【０００６】
本考案は前述した従来の問題点鑑みなされたものであり、使用する清掃シートの全ての面を使用することができ、しかも、清掃用具の厚み分程度の狭い隙間も簡単に清掃することが可能であり、さらには、清掃シートをスリット挟み込む場合にも指などを痛めることがない優れた清掃用具を提供するものである。
【課題を解決するための手段】
【０００７】
上記課題を解決するため、請求項１の考案にあっては、清掃シートを挟み込むスリットが形成された本体と、前記本体が回動自在に支承された略コ字状に形成された支持アームと、前記支持アームの端部が自在継手を介して連結されたハンドルと、が備えられていることを特徴とするものである。
【０００８】
また、請求項２の考案にあっては、前記本体は、前記支持アームを回動自在に支承する枠体部と、前記枠体部をカバーするカバー部とから構成され、前記カバー部の表面には、亀の甲状の小突起が複数形成され、前記小突起と小突起の間の凹部に沿ってスリットが形成されていることを特徴としている。
【０００９】
また、請求項３の考案にあっては、前記本体は、前記支持アームを回動自在に支承する枠体部と、前記枠体部をカバーするカバー部とから構成され、前記枠体部は、下面開口した箱状の上枠体と、前記上枠体に嵌合する上面開口の下枠体と、が備えられ、前記カバー部は、前記上枠体をカバーする上カバー体と、前記下枠体をカバーする下カバー体と、が備えられ、前記上カバー体の表面には、亀の甲状の小突起が複数形成され、前記小突起と小突起の間の凹部に沿ってスリットが形成されていることを特徴としている。
【００１０】
また、請求項４の考案にあっては、前記カバー部は、前記上枠体をカバーする上カバー体と、前記下枠体をカバーする下カバー体と、が備えられ、前記上カバー体の表面には、亀の甲状の小突起が複数形成されると共にスリット体が挿入される挿入孔が形成され、前記スリット体は、前記上カバー体の表面に形成された亀の甲状の小突起と同一の小突起が形成され、前記小突起と小突起の間の凹部に沿ってスリットが形成されていることを特徴としている。
【００１１】
さらに、請求項４の考案にあっては、前記自在継手は、下方に前記支持アームの端部を挿入固定する固定部が形成され、上部にはハンドル4の下端部に形成され支承部の軸孔に回動可能に軸支された突起軸を備えたことを特徴とするものである。
【考案の効果】
【００１２】
本考案によれば、使用する清掃シートの全ての面を使用することができ、しかも、清掃用具の厚み分程度の狭い隙間も簡単に清掃することができ、さらには、清掃シートをスリットに挟み込む場合にも指を痛めることがない優れた清掃用具を提供できるものである。
【図面の簡単な説明】
【００１３】
【図１】本考案に係る清掃用具の全体斜視図である。
【図２】前記清掃用具の構造を示す分解斜視図である。
【図３】前記清掃用具の枠体部の構造を示す分解斜視図である。
【図４】前記清掃用具のスリット体示す斜視図である。
【図５】前記清掃用具の上カバー体を示す平面図である。
【図６】前記清掃用具のカバー部に清掃シートを装着した状態を示す斜視図である。
【図７】前記清掃用具の自在継手の構造を示す分解斜視図である。
【図８】前記清掃用具の下面の使用状態を示す正面図である。
【図９】前記清掃用具の横面の使用状態を示す正面図である。
【図１０】本考案に係る清掃用具の他の実施例を示す斜視図である。
【考案を実施するための形態】
【００１４】
以下、本考案の実施形態を添付図面に基づいて説明する。図１は本考案に係る清掃用具を示す全体斜視図であり、この清掃用具Ａは、清掃シートＳを挟み込むスリットが形成された本体１と、前記本体が回動自在に支承された略コ字状に形成された支持アーム２と、前記支持アーム２の端部が自在継手３を介して連結されたハンドル４と、から構成されている。尚、ハンドル４の上端部には、持ち易いように、取っ手５が装着されている。
【００１５】
本体１は、図２に示すように、支持アーム２回動自在に支承する枠体部１０と、この枠体部１０を上下に覆うカバー部２０から構成されている。枠体部１０は、図３に示すように、合成樹脂材料、例えばＡＢＳ樹脂（アクリロニトリル・ブタジエン・スチレン樹脂）などから形成された下面開口の上枠体１１と、上面開口の下枠体１２から構成されている。この上枠体１１と下枠体１２は、上下に分割された箱体なので、上枠体１１には複数の嵌合孔１１ａ，１１ａ，１１ａ・・・が形成されており、下枠体１２には、これらの嵌合孔１１ａに対応する位置に複数の嵌合突起１２ａ，１２ａ，１２ａ・・・が形成されおり、これらの嵌合孔１１ａと嵌合突起１２ａが嵌合することにより、強固な箱体の枠体部１０が構成される。
【００１６】
また、下枠体１２には、支持アーム２を回転自在にガイドするため、下枠体１２の支持アーム２の出口側には半円形のガイド部１２ｂが形成されており、内部には支持アーム２のストッパ２ａを回転自在ガイドするために、ストッパガイド１２ｃが設けられている。同様に、上枠体１１にも支持アーム２を回転自在にガイドするための半円形のガイド部１１ｂが形成され、内部にも図示しないストッパガイドが形成されている。さらに、上枠体１１には、後述するスリット体２３を嵌合させるために３箇所の嵌合孔１３，１３，１３が形成されている。
【００１７】
また、上記枠体部１０を外側から覆っているカバー部２０は、上カバー体２１と下カバー体２２から構成されている。この上カバー体２１と下カバー体２２は、比較的柔軟性を備えた発泡ウレタン樹脂などから形成され、それぞれ前記上枠体１１と下枠体１２に固着されるものである。この固着手段は接着手段でもよいし、嵌合片などによる嵌合手段でもよい。そして、上カバー体２１と下カバー体２２の表面には、多数の亀の甲状の小突起が形成されている。
【００１８】
また、上カバー体２１には、図２に示すように、３箇所のスリット体２３の挿入孔２１ａ，２１ａ，２１ａが形成されている。この挿入孔２１ａに挿入されたスリット体２３は、前述した上枠体１１の嵌合孔１３に後述する嵌合枠２３ｂが嵌合されて固定されるものである。
【００１９】
この上カバー体２１の挿入孔２１ａに挿入して取付けられスリット体２３は、図４に示すように、上面には、上カバー体２１と同様な亀の甲状の小突起２３ａが形成されており、下面には、上枠体１１の嵌合孔１３に嵌合するための嵌合枠２３ｂが形成されている。さらに、上面のほぼ中央部には、清掃シートＳを挟みこむためのスリット２３ｃが形成されている。このスリット２３は隣接する小突起２３ａと小突起２３ａの間に形成される凹部を切込んだものである。このスリット体２３を３個組み込んだ上カバー体２１は、図５に示すように、所定の位置（中央部と両端）にバランス良くスリット２３ｃが配置されるものである。
【００２０】
また、図６に示すのは、スリット体２３を組み込んだカバー部２０に、清掃シートＳを取付けた状態を示すものである。この清掃シートＳをスリット２３ｃに挟み込むには、指先などこの清掃シートＳをスリット２３ｃに押し込めばよく、亀の甲状のスリットにより、簡単に挟み込むことができ、鋸歯状のスリットのように、指を痛めることもない。
【００２１】
また、支持アーム２とハンドル４を１８０度回動自在に接続する自在継手３は、図７に示すように、下方に支持アーム２の端部２ａを挿入固定する固定部３ａが形成されており、この固定部３ａにより支持アーム２を固定するものである。そして、ハンドル4の下端部に形成された支承部４ａの軸孔４ｂに、突起軸３ａを挿入することにより、ハンドル4が支持アーム２に対して相対的に回動可能に軸支されるものである。
【００２２】
このように構成された清掃用具Ａは、図８に示すように、床などの広い面を拭く場合には、広い払拭面を持つ下カバー体２２を下側にして掃除を行うものである。この状態では、下カバー体２２の表面に形成された亀の甲状の小突起により、清掃シートＳを適度に床面に押し付けることができるので、優れた清掃能力を発揮できるものである。
【００２３】
また、下面（下カバー体２２の表面）のみを使用していると、清掃シートＳの使用面が汚れて清掃能力が低下するので、適度に使用した後は、本体１を１８０度回転させ、上面（上カバー２１側）を使用するものである。このようにして使用すれば、一方の面のみ使用する場合に比べて、２倍使用することができる。
【００２４】
さらに、本考案の清掃用具Ａは、図９に示すように、本体１を９０度回転させて横面を使用して掃除ができるものである。このような使い方をすれば、家具と家具の隙間のような狭い空間を掃除することができ、非常に使い勝手の良いものとなる。そして、この横面を使用する場合も、適度に使用した後に１８０度回転させて、新しい横面を使用できるものである。
【００２５】
このように構成された清掃用具Ａは、本体１を回動自在な構造としたことにより、使用する清掃シートＳの全ての面を使用することができるので清掃シートＳを経済的に使用することができる。また、本体１の横面を使用することにより、清掃用具の厚み分程度の狭い隙間も簡単に清掃することが可能となる。さらには、亀の甲状のスリットにすることにより、清掃シートＳをスリットに挟み込む場合にも指を痛めることがない優れた清掃用具を提供できるものである。
【００２６】
また、図１０に示す清掃用具Ｂは、前述した清掃用具Ａのカバー部を横面開口の箱状にしたものである。このカバー部３０は、上面または下面に多数の亀の甲状の小突起３１，３１，３１・・・を形成したものであり、この亀の甲状の小突起３１の間に３箇所のスリット３２，３２，３２を形成したものである。このように構成された清掃用具Ｂは、開口３４より枠体部１０に挿入することにより装着できるので、組立が簡単になる。
【００２７】
上述した実施態様は、本考案の一例を説明したにすぎず、その他の構成も本発明の要旨の範囲内で任意に変更することができることは勿論である。例えば、スリットの数を
実施例は３箇所としたが、必要に応じて４箇所や５箇所とすることも可能である。また、小突起の形成する面を本体の上面としたが、下面でも可能であり、さらには、両面や横面にも形成可能であることは勿論である。
【符号の説明】
【００２８】
Ａは清掃用具
Ｂは清掃用具
１は本体
２は支持アーム
３は自在継手
４はハンドル
１０は枠体部
１１は上枠体
１２は下枠体
１３は嵌合孔
２０はカバー部
２１は上カバー体
２２は下カバー体
２３はスリット体
２３ｃはスリット
３０はカバー部
【図１】
0003152632.tif 000003
【図２】
0003152632.tif 000004
【図３】
0003152632.tif 000005
【図４】
0003152632.tif 000006
【図５】
0003152632.tif 000007
【図６】
0003152632.tif 000008
【図７】
0003152632.tif 000009
【図８】
0003152632.tif 000010
【図９】
0003152632.tif 000011
【図１０】
0003152632.tif 000012